(57)【要約】【課題】換気を行うことができるカーテン用シート吊下具又はシート保持部材を提供すること。【解決手段】カーテン用シート吊下具１００は、複数個の係止片１１を有する懸吊部材１０と、係止片１１に係合する孔部２２をシート３０を支持するシート取着部の上部に有し、懸吊部材１０に取外し可能に懸吊される複数のシート保持部材２０とを備えている。シート保持部材２０は、シート取着部の側縁の短手方向全体にわたってシート取着部内へ切欠かれた切欠部２３を有する。【選択図】図１
0003235002.tif 000002
【実用新案登録請求の範囲】
【請求項１】
複数個の係止片を有する懸吊部材と、
前記係止片に係合する孔部をシートを支持するシート取着部の上部に有し、前記懸吊部材に取外し可能に懸吊される複数のシート保持部材とを備え、
前記シート保持部材は、
前記シート取着部の側縁の短手方向全体にわたって前記シート取着部内へ切欠かれた切欠部を有することを特徴とするカーテン用シート吊下具。
【請求項２】
前記切欠部は、前記孔部の側縁に有する縦枠の幅と同一又は広く形成されていることを特徴とする請求項１記載のカーテン用シート吊下具。
【請求項３】
前記孔部は複数の長孔を有し、該長孔は前記孔部の長手方向に等間隔の孔間部を隔てて形成されており、
前記切欠部は、前記孔間部の幅より狭く形成されていることを特徴とする請求項１又は２に記載のカーテン用シート吊下具。
【請求項４】
前記シートは、前記シートの側縁部の長手方向全体にわたって配設された棒状の磁石を備え、
前記切欠部には前記磁石が配置されていることを特徴とする請求項１〜３の何れかに記載のカーテン用シート吊下具。
【請求項５】
懸吊部材に有する係止片に係合する孔部をシートを支持するシート取着部の上部に有し、前記懸吊部材に取外し可能に懸吊されるシート保持部材であって、
前記シート取着部の側縁の短手方向全体にわたって前記シート取着部内へ切欠かれた切欠部を有することを特徴とするシート保持部材。
【考案の詳細な説明】
【技術分野】
【０００１】
本考案は、開口部の上部から複数枚の縦長樹脂製シートを吊下げるカーテン用シート吊下具及びシート保持部材に関する。
【背景技術】
【０００２】
例えば、特許文献１には、カーテン要素と同じ左右幅を有するとともに表裏方向に沿った縦断面をＴ字形状とした鈎部を、カーテン要素の上縁に沿って取り付け、これを、店舗、工場などの出入口に取り付けたレールに、その鈎部が表面側から嵌め込まれて複数吊下げられてなるものが記載されている。
【０００３】
特許文献１によれば、上記の構成を採用することにより、カーテン要素の上部の隙間をなくして風雨や埃の進入を防止することができると記載されている。
【０００４】
しかしながら、近時、換気を行えるものが求められる傾向がある。
【先行技術文献】
【特許文献】
【０００５】
【特許文献１】特許第６７８９５５７号公報
【考案の概要】
【考案が解決しようとする課題】
【０００６】
本考案の目的は、換気を行うことができるカーテン用シート吊下具又はシート保持部材を提供することである。
【課題を解決するための手段】
【０００７】
本考案の一態様に係るカーテン用シート吊下具は、複数個の係止片を有する懸吊部材と、前記係止片に係合する孔部をシートを支持するシート取着部の上部に有し、前記懸吊部材に取外し可能に懸吊される複数のシート保持部材とを備え、前記シート保持部材は、前記シート取着部の側縁の短手方向全体にわたって前記シート取着部内へ切欠かれた切欠部を有する構成である。
【０００８】
また、前記切欠部は、前記孔部の側縁に有する縦枠の幅と同一又は広く形成されている構成であってもよい。
【０００９】
さらに、前記孔部は複数の長孔を有し、該長孔は前記孔部の長手方向に等間隔の孔間部を隔てて形成されており、前記切欠部は、前記孔間部の幅より狭く形成されている構成であってもよい。
【００１０】
さらにまた、前記シートは、前記シートの側縁部の長手方向全体にわたって配設された棒状の磁石を備え、前記切欠部には前記磁石が配置されている構成であってもよい。
【００１１】
本考案の他の態様に係るシート保持部材は、懸吊部材に有する係止片に係合する孔部をシートを支持するシート取着部の上部に有し、前記懸吊部材に取外し可能に懸吊されるシート保持部材であって、前記シート取着部の側縁の短手方向全体にわたって前記シート取着部内へ切欠かれた切欠部を有する構成である。
【考案の効果】
【００１２】
本考案のカーテン用シート吊下具又はシート保持部材によれば、上記構成としたので、シート上部に空気の出入りが生じ、換気を行うことができるという効果を奏する。
【図面の簡単な説明】
【００１３】
【図１】実施形態のカーテン用シート吊下具を備える一のカーテンの一例を示す、一部を省略した正面図である。
【図２】懸吊部材の一例を示す、一部を省略した背面図である。
【図３】図１のカーテン用シート吊下具を示す拡大側面図である。
【図４】シート保持部材の一例を示す正面図である。
【図５】複数のシート保持部材の配列の一例を示す一部拡大正面図である。
【図６】複数のシート保持部材の他の配列の一例を示す、一部を省略した正面図である。
【図７】他のカーテンの一例を示す、一部を省略した正面図である。
【考案を実施するための形態】
【００１４】
以下、本考案を実施するための形態について、図１〜図７を参照しつつ、詳細に説明する。図１には、本実施形態のカーテン用シート吊下具１００を用いたカーテン１が示されている。カーテン１は、カーテン用シート吊下具１００と、複数枚のシート３０と、補助板５０と、取付具６０とを備えている。なお、本考案は以下の実施形態に何ら限定されない。
【００１５】
カーテン用シート吊下具１００は、図１に示すように、懸吊部材１０と、複数のシート保持部材２０とを備えている。懸吊部材１０とシート保持部材２０は別体である。カーテン用シート吊下具１００は、例えば、金属製板を板金加工して製造することができる。
【００１６】
カーテン用シート吊下具１００は、店舗、工場や倉庫などの開口部の上部に懸吊部材１０が取着され、懸吊部材１０に有する係止片１１とシート保持部材２０とが係合された状態で上記開口部に懸吊される。
【００１７】
なお、図において、懸吊部材１０の長手方向Ｘとし、懸吊部材１０の短手方向Ｙとする。長手方向Ｘは、シート保持部材２０の長手方向と同一方向であり、短手方向Ｙは、シート保持部材２０の短手方向と同一方向であり、シート３０の長手方向と同一方向である。
【００１８】
懸吊部材１０は、複数個の係止片１１を有する。係止片１１は、懸吊部材１０の長手方向Ｘに長辺を有する懸吊基部１３に複数個設けられている。複数個の係止片１１は、係止片間に空間１２を有し、懸吊部材１０の長手方向Ｘに等間隔の空間１２を隔てて表面側へ突出し、一定幅を有している。
【００１９】
また、懸吊部材１０は、図２に示すように、複数の係止片間において懸吊基部内へ延設されたスリット１７を複数有している。スリット１７の幅は、係止片間の等間隔の空間１２を形成する。なお、懸吊基部１３に複数の取付孔１６を有する。
【００２０】
係止片１１は、図３に示すように、懸吊基部１３の下端に、鋭角をなして延出されて形成されている。係止片１１の端縁に立設片１５が形成されている。係止片１１は、その端縁から懸吊基部１３までに複数のシート保持部材２０を重ねて懸吊できる長さを有する。
【００２１】
また、懸吊基部１３の上端に長手方向Ｘに連続して表面側へ突出する突出片１４が延設されている。突出片１４は、複数の係止片１１と対向しており、各立設片１５との間に間隙を有する。
【００２２】
シート保持部材２０は、シート取着部２１と、孔部２２とを備え、シート３０を保持し、懸吊部材１０に取外し可能に懸吊される。シート取着部２１の上部に孔部２２を有し、孔部２２は係止片１１に係合する。
【００２３】
孔部２２は、縦断面く字状に形成され、シート取着部２１と連設されている。シート取着部２１の上部は、縦断面逆く字状に形成されている。シート保持部材２０は、使用状態において、孔部２２の下方にシート取着部２１とシート３０が垂下する。シート３０は、樹脂製シート部３１を備える。
【００２４】
シート保持部材２０は、孔部２２が複数の係止片１１に係合して懸吊部材１０に懸吊され、シート取着部２１がシート部３１の上端部を取付具６０で補助板５０とともに挟持して保持する。
【００２５】
なお、補助板５０は、シート取着部２１の長手方向長さと同一の長辺を有し、複数の貫通孔を有する。補助板５０は、例えば、ステンレスなどの金属製からなる。また、取付具６０は、例えば、ハトメ接合、ハトメとリベット、ネジとネジ留め、ボルト６１とナット６２、ピンのカシメ接合など、公知のものを用いることができる。
【００２６】
シート保持部材２０は、図４に示すように、切欠部２３を有する。切欠部２３は、シート取着部２１の側縁の短手方向全体にわたってシート取着部内へ切欠かれて形成されている。孔部２２は、縦枠２４と、横長孔２５と、孔間部２７とを有する。切欠部２３は、縦枠２４の幅Ｗ２と同一又は広く形成されている。切欠部２３は、孔間部２７の幅Ｗ３より狭く形成されている。
【００２７】
シート取着部２１の幅は、孔部２２の幅より狭く形成されている。シート取着部２１は、補助板５０の貫通孔に対応する位置に貫通孔２６を有し、シート部３１の上端部が取り付けられ、シート３０を支持する。
【００２８】
縦枠２４を孔部２２の側縁に有し、縦枠間に複数の横長孔２５を有する。横長孔２５は、係止片１１より幅広に形成され、孔部２２の長手方向Ｘに等間隔の孔間部２７を隔てて形成されている。
【００２９】
孔間部２７は、図５に示すように、横長孔間に有し、孔間部２７の幅Ｗ３は、空間１２又はスリット１７の幅よりも狭く形成されている。縦枠２４の幅Ｗ２が、空間１２又はスリット１７の幅より狭く形成されている。
【００３０】
縦枠２４は、複数のシート保持部材２０を懸吊部材１０に懸吊した場合に、一の空間１２に互いの縦枠２４を突き合わせて隣り合わせに配列し得る幅に形成されていることが好ましい。また、切欠部２３の幅Ｗ１は、空間１２又はスリット１７の幅より狭く形成されている。
【００３１】
カーテン用シート吊下具１００は、まず、倉庫等の出入口の鴨居等に懸吊部材１０を、取付孔を介して固定する。そして、シート部３１の上端部をシート取着部２１と補助板５０とで挟んで両者の貫通孔に取付具６０を挿入して固定する。
【００３２】
次いで、上記のようにしてシート３０を取着したシート保持部材２０の横長孔２５を、突設片１５を介して係止片１１に挿入する。これを複数のシート保持部材２０について、順次行い、懸吊部材１０の適宜の係止片１１に孔部２２を係合させる。
【００３３】
これにより、複数のシート３０の吊下げが完了する。カーテン用シート吊下具１００は、シート上部である孔部２２に空気の出入りＦが生じる（図３参照）。
【００３４】
このようにして、本実施形態のカーテン用シート吊下具１００又はシート保持部材２０によれば、上記構成としたので、シート保持部材２０の孔部２２から空気の出入りが生じ、孔部２２を介した換気を行うことができる。
【００３５】
また、複数のシート保持部材２０は、切欠部２３が形成されており、隣り合う互いの縦枠２４が一の空間１２又はスリット１７に配列された場合に、下方で隣り合う互いのシート取着部間に間隙を有する。図５のように、この間隙を換気用に活用することができ、またその間隙を覆うようにシート部３１を取り付けることができる。また、その間隙に磁石を配置することができる。
【００３６】
例えば、カーテン用シート吊下具１００によれば、図６に示すように、シート保持部材２０の一部を重ねた状態で懸吊部材１０に吊り下げることができる。図６に示すカーテン１は、フォークリフトが通過する出入口に用いるのに好適である。シート３０を押して、人やフォークリフトなどが、引っかかることなく、容易に通過することができる。
【００３７】
なお、シート取着部２１は、シート部３１の幅と同一の幅、又はシート部３１の幅より狭い幅に形成されていてもよい。また、シート３０の側縁部の長手方向Ｙの長さが出入口の高さより短く形成され、シート下部に隙間を有していてもよい。
【００３８】
次に、図７を参照して、他のカーテン２について説明する。なお、以下、上記実施形態と同一又は対応する部分については同一の符号を付してその説明を省略し、異なる部分のみを説明する。
【００３９】
カーテン２は、図７に示すように、磁石１３３を備えており、切欠部２３に磁石１３３が配置されている一例である。カーテン２は、カーテン用シート吊下具１００と、複数枚のシート１３０と、補助板５０と、取付具６０とを備えている。
【００４０】
シート１３０は、縦長樹脂製のシート部１３１と、複数の磁石１３３と、磁石保持部１３４とを備えている。複数の磁石１３３は、横断面矩形状の縦長棒状に形成され、シート１３０の側縁部１３２の長手方向Ｙ全体にわたって配設されている。磁石保持部１３４は、磁石１３３を被覆した状態でシート部１３１の側縁部に溶着されており、磁石１３３を固定している。
【００４１】
シート１３０との関係では、シート保持部材２０は、シート取着部２１の幅が、シート１３０の幅より狭く形成されている。磁石１３３は、上端部が切欠部２３に配置され、隣り合う他の磁石１３３と係合する。なお、孔部２２の幅は、シート１３０の幅と同じか若しくは狭く形成されている。
【００４２】
カーテン２は、まず、シート１３０の上端部を、シート取着部２１と補助板５０とで挟んで両者の貫通孔に取付具６０を挿入して固定する。なお、シート１３０は、シート部１３１の上端部において、シート部１３１と磁石保持部１３４の一部を挟持した状態でシート取着部２１に取り付けられてもよい。
【００４３】
次いで、上記のようにしてシート１３０を取着したシート保持部材２０の横長孔２５を、懸吊部材１０の適宜の係止片１１に挿入することにより、シート１３０の吊下げが完了する。このように、一の空間１２に互いの縦枠２４を突き合わせて隣り合わせに配列された場合に、隣に位置する他の磁石１３３と接合してシート１３０が隣り合わせに垂下される。
【００４４】
このようにして、カーテン２の場合は、隣に位置するシート１３０との間に隙間が生じず、隣接する二つのシート１３０の接合部における空気の出入りを遮蔽することができる。カーテン２は、特に、フォークリフトが通過しない出入口に用いるのに好適である。
【００４５】
以上説明したように、カーテン用シート吊下具１００又はシート保持部材２０によれば、上記構成としたので、シート３０やシート１３０のいずれにも、共通部品として使用することができる。具体的には、フォークリフト出入口用の樹脂製シート付カーテン１と、人が通過する出入口に使用される磁石付きシート付カーテン２とのいずれにも使用することができ、汎用性がある。
【００４６】
即ち、カーテン用シート吊下具１００又はシート保持部材２０によれば、カーテンのバリエーションを増やすことができる。また、共通部品化を実現することができ、低コストを実現することができる。
【００４７】
また、シート保持部材２０は、複数個の係止片１１を有する懸吊部材１０に取外し可能に懸吊されるので、シート３０の配列変更や、シート３０とシート１３０の取り替え等を容易に行うことができる。
【００４８】
懸吊部材１０に対するシート保持部材２０の取付け又は取外しは、係止片１１が横長孔２５に嵌入される構造であるので、容易に、かつ、迅速に行うことができる。
【００４９】
なお、カーテン用シート吊下具及びシート保持部材に係る構成は、上記実施形態に何ら限定されるものではなく、懸吊部材、シート保持部材、シートの形状、構造に係る構成について、本考案の趣旨を逸脱しない範囲に応じ適宜変更可能である。
【００５０】
例えば、懸吊部材は、上記実施形態の如く、複数の係止片間において懸吊基部内へ延設されたスリットを複数有しているものに何ら限定されない。また、懸吊基部の上端に表面側へ連続して突出する突出片が延設されているものに何ら限定されない。懸吊部材は、複数の係止片を有するものであればよく、係止片は立設片を有するものに何ら限定されない。
【００５１】
また、シート保持部材の孔部は、実施形態の如く、複数の横長孔を有するものに何ら限定されず、例えば、縦長孔であってもよいし、単数でもよい。また、孔部は、一の長孔に対して複数の係止片が挿入されるものであってもよい。
【００５２】
さらに、孔部は、上記実施例の如く、縦断面く字状を呈する形状、構造でなくてもよく、例えば、縦断面Ｉ字状であってもよいし、湾曲形状であってもよい。また、シート取着部の上部は、縦断面逆く字状を呈する形状、構造でなくてもよい。切欠部の形状は、図示のものに何ら限定されない。
【００５３】
なお、シートは、防炎性を有するものが好ましい。シート部は、有色に着色されていてもよいし、透明であってもよい。
【産業上の利用可能性】
【００５４】
シート保持部材を用いて容易に懸吊部材に取外し可能に吊下げることができ、シート保持部材に、例えば、透明シート、有色シート、防炎シート、磁石付きシートその他のシートを取付けることによって、バリエーションを実現でき、換気をすることができるカーテン、シャッター、ドア、暖簾の用途にも適用できる。
【符号の説明】
【００５５】
１０          懸吊部材
１１          係止片
２０          シート保持部材
２１          シート取着部
２２          孔部
２３          切欠部
２４          縦枠
２５          横長孔（長孔）
２７          孔間部
３０，１３０  シート
３１，１３１  シート部
１００          カーテン用シート吊下具
１３２          シートの側縁部
１３３          磁石
Ｗ１          切欠部の幅
Ｗ２          縦枠の幅
Ｗ３          孔間部の幅
Ｘ          長手方向（孔部の長手方向）
Ｙ          短手方向（シート取着部の側縁の短手方向，シートの側縁部の長手方向）
【図１】
0003235002.tif 000003
【図２】
0003235002.tif 000004
【図３】
0003235002.tif 000005
【図４】
0003235002.tif 000006
【図５】
0003235002.tif 000007
【図６】
0003235002.tif 000008
【図７】
0003235002.tif 000009